(57)【要約】【課題】単一構造で電線からシート類まで挟むことができる汎用クリップを提供する。【解決手段】枢軸２と、この枢軸２に軸支されてその胴部が外側に向かって湾曲してなる一対の外挟持部材３と、一対の外挟持部材３のそれぞれの枢軸側に延設される把持部５と、枢軸２又はその近傍において一対の把持部５の間に介設されて双方を押し広げる弾性部材４と、一対の外挟持部材３のそれぞれの長手方向端部同士をつなぐように固設される一対の内挟持部材６と、を有し、この内挟持部材６は、多関節体であり、それぞれの関節１５は、左右方向に復元可能に傾動するとともに、その軸方向に復元可能に伸長することを特徴とする汎用クリップ１による。【選択図】図１
2018084273.tif 000002
【特許請求の範囲】
【請求項１】
枢軸と、この枢軸に軸支されてその胴部が外側に向かって湾曲してなる一対の外挟持部材と、一対の前記外挟持部材のそれぞれの前記枢軸側に延設される把持部と、前記枢軸又はその近傍において一対の前記把持部の間に介設されて双方を押し広げる弾性部材と、一対の前記外挟持部材のそれぞれの長手方向端部同士をつなぐように固設される一対の内挟持部材と、を有し、
この内挟持部材は、多関節体であり、それぞれの関節は、左右方向に復元可能に傾動するとともに、その軸方向に復元可能に伸長することを特徴とする汎用クリップ。
【請求項２】
前記内挟持部材は、直列に配設される複数の短い棒状の挟持パーツと、この挟持パーツの間に介設される前記関節とを備えていることを特徴とする請求項１に記載の汎用クリップ。
【請求項３】
前記関節は、第２の弾性部材を備えていることを特徴とする請求項１又は請求項２に記載の汎用クリップ。
【請求項４】
前記第２の弾性部材はコイルばねであることを特徴とする請求項３に記載の汎用クリップ。
【請求項５】
前記内挟持部材の表面は、伸縮性を有する絶縁シートで被覆されていることを特徴とする請求項１乃至請求項４のいずれか１項に記載の汎用クリップ。
【発明の詳細な説明】
【技術分野】
【０００１】
本発明は、単一構造のクリップで電線からシート類まで挟むことができる汎用クリップに関する。
【背景技術】
【０００２】
従来、送電設備等の工事やメンテナンスを行う際に、作業対象物を一時的に固定しておくためにクリップが用いられている。
このようなクリップに関する先行技術文献としては、例えば、以下に示すような特許文献が知られている。
【０００３】
特許文献１には「間接活線工法用クリップ」という名称で高圧の電気設備等に対する間接活線作業において使用される間接活線工法用クリップに関する発明が開示されている。
特許文献１に開示される間接活線工法用クリップは、文献中に記載される符号をそのまま用いて説明すると、固定操作片３を備えたベース部材２と、該固定操作片に対して接近、離間可能に支持された可動操作片６と、２つの有関節挟圧部材２０、２１と、第１の線材５０と、第２の線材６０と、第１の線材に所定以上のテンションを付与する第１の操作機構７０と、第２の線材に所定以上のテンションを付与する第２の操作機構８０と、を備え、第１の操作機構が第１の線材に所定以上のテンションを付与したときに２つの有関節挟圧部材が互いに接近した挟圧状態となり、第２の操作機構が第２の線材に所定以上のテンションを付与したとき２つの有関節挟圧部材が離間した開放状態となることを特徴とするものである。
上記構成の特許文献１に開示される発明によれば、シート本体を平坦に保つための芯材を備えた絶縁シートに設けたクリップ取付部に対して、熟練を要することなく、クリップを容易に装着することができる。また、クリップを装着した後に絶縁ヤットコを用いたクリップの開閉操作も通常通りに容易に行うことが可能となる。
【０００４】
特許文献２には「フィンガー付きヘアクリップ」という名称で、フィンガーが付いているヘアクリップに関する発明が開示されている。
特許文献２に開示された発明は、上部クリップ片と下部クリップ片のブラケットのコイルバネと共にピンで結合して髪をクリップできるようになったヘアクリップにおいて、上部クリップ片の自由端に関節作用が行えるようにピンで結合され髪を引き寄せで挟持するようになったフィンガーと、このフィンガーのＹ字形に分岐された後端部に連結され関節部に髪が挟まれないように案内するガイドループと、このガイドループを取って支持する上部クリップ片に形成されたホールドアイと、上部クリップ片の底面部が髪の挟持空間を拡張する凹設された凹込部で結合構成されることを特徴とするものである。
上記構成の特許文献２に開示される発明によれば、フィンガーの長さほど短縮された上部クリップ片の自由端にフィンガーを関節動作できるように結合して構成されているので、髪を引き寄せまたは束状に安全に留めることができる。
【０００５】
特許文献３には「外科用クリップおよび外科用クリップのためのマニピュレータ」という名称で、手術に使用することができるクリップに関する発明が開示されている。
特許文献３に開示される発明は、基体部と、この基体部に連結された、第１のアームおよびこれに対向する第２のアームと、基体部に向かって延びる内側延在部を有し、第１のアームに連結される第１の顎部と、基体部に向かって延びる内側延在部を有し、第２のアームに連結され、第１の顎部と対向する第２の顎部と、を備え、少なくとも基体部は、この基体部の温度が前記基体部の変態温度を満たす、またはそれを超える場合に、第１および第２のアームを互いに近接する方向に強制する形状記憶合金で形成されていることを特徴とするものである。
上記構成の特許文献３に開示される発明によれば、止血の信頼性の増加を補助することができ、誤ってクリップが中空管状器官からスリップするリスクを低減することができ、クリップを使用する際の外傷を低減することができる。
【０００６】
特許文献４には「展示カード保持体用ばねクリップ」という名称で、いわゆるポップカード所定箇所に配置するための取り付け手段として使用するばねクリップに関する発明が開示されている。
特許文献４に開示される発明は、展示カード保持体を、所定箇所に配置するための取り付け手段として使用するプラスチック製のばねクリップであって、クリップ本体の挟持部の対向面に、エラストマー製の滑り止めシートが組み付けられているものにおいて、滑り止めシートが、両端に裏側に湾曲して形成された係合部を備えた略Ｕ字形断面を有し、滑り止めシートの組み付けの態様が、滑り止めシートの両端側に形成された係合部が挟持部先端部の外側に係合してクリップ本体の挟持部の内側面を被覆するように組み付けられていることを特徴とするものである。
上記構成の特許文献４に開示される発明によれば、従来のように、両面テープや接着剤を使用して滑り止めシートを挟持部に貼着して取付ける場合に比べて、クリップの組み立て後でも、容易に滑り止めシートの取り付けができるとともに、接着剤のように経時劣化による剥離も考慮する必要がなく、長期にわたって、滑り止め機能を維持可能である。
【０００７】
特許文献５には「電線クリップ」という名称で、高圧架空電線に高圧引下線を仮止めする場合等に用いられる電線クリップに関する発明が開示されている。
特許文献５に開示される発明は、長手方向に延びる先端部及びこの先端部から斜め方向に延びる基端部を有する一対のクリップ片を備え、先端部及び基端部が互いに対向するように一対のクリップ片がそれぞれ配置され、基端部の操作によって先端部が開閉するクリップ本体と、クリップ本体において互いに対向する先端部の面に、先端部の長手方向に整列配置される複数の把持部材と、先端部に固定され、把持部材を前記先端部の面に対して接離する方向に往復動自在に支持するばね部材とを備えることを特徴とするものである。
上記構成の特許文献５に開示される発明によれば、電線を確実に把持することが可能になり、しかも電線を挟んだ状態においてずれにくい電線クリップを提供することができる。
【先行技術文献】
【特許文献】
【０００８】
【特許文献１】特開２０１５−１９５１９号公報
【特許文献２】特開２００８−５５０６９号公報
【特許文献３】特表２０１４−５０４１８５号公報
【特許文献４】特開平９−６８９２１号公報
【特許文献５】特開２０１４−１２１１５５号公報
【発明の概要】
【発明が解決しようとする課題】
【０００９】
上述の特許文献１乃至５に開示される発明はいずれも、例えば、電線からシート類のように様々な厚みや外形を有する物体を単一構造のクリップで挟持することができるというものではなかった。
【００１０】
本発明はかかる従来の事情に対処してなされたものでありその目的は、様々な厚みや外形を有する物体を単一構造のクリップで挟持することができる汎用性の高い汎用クリップを提供することにある。
【課題を解決するための手段】
【００１１】
上記課題を解決するための第１の発明である汎用クリップは、枢軸と、この枢軸に軸支されてその胴部が外側に向かって湾曲してなる一対の外挟持部材と、一対の外挟持部材のそれぞれの枢軸側に延設される把持部と、枢軸又はその近傍において一対の把持部の間に介設されて双方を押し広げる弾性部材と、一対の外挟持部材のそれぞれの長手方向端部同士をつなぐように固設される一対の内挟持部材と、を有し、この内挟持部材は、多関節体であり、それぞれの関節は、左右方向に復元可能に傾動するとともに、その軸方向に復元可能に伸長することを特徴とするものである。
上記構成の第１の発明において、一対の外挟持部材はその湾曲内側に配される一対の内挟持部材の伸長方向端部を支持するという作用を有する。また、枢軸は、把持部の開閉動作を一対の外挟持部材に伝達して、外挟持部材を開閉動作させるという作用を有する。さらに、内挟持部材は、その間に介設される被挟持物を挟持して保持するという作用を有する。
また、弾性部材（第１の弾性部材）は、一対の把持部の枢軸に接続されない側の端部同士を常時引き離すように付勢するという作用を有する。そして、この作用により、枢軸を介して一対の把持部の反対側に延設される一対の外挟持部材を常時近づけるように又は閉じた状態になるように付勢するという作用を有する。さらに、この作用に伴い、一対の外挟持部材の湾曲内側に保持される一対の内挟持部材にも常時近づけるように又は閉じた状態を維持するように付勢される。この結果、内挟持部材により被挟持物の挟持が可能になる。
さらに、内挟持部材を多関節体とし、この多関節体におけるそれぞれの関節において、関節に接続される部材を復元可能に傾動させるとともに、その軸方向にも復元可能に伸長させることで、一対の内挟持部材の間に被挟持物を介設した際に、被挟持物との接触部分の内挟持部材を被挟持物の外形形状に沿って復元可能に弾性変形させるという作用を有する。これにより、内挟持部材により被挟持物の外側面を優しく包むように挟持するという作用を有する。
【００１２】
第２の発明である汎用クリップは、上述の第１の発明において、内挟持部材は、直列に配設される複数の短い棒状の挟持パーツと、この挟持パーツの間に介設される関節とを備えていることを特徴とするものである。
上記構成の第２の発明は、上述の第１の発明における内挟持部材の構造をより具体的に特定したものであり、その作用は、第１の発明による作用と同じである。
また、第２の発明において内挟持部材を構成する挟持パーツは、一対の内挟持部材の間に開設される被挟持物をその両側から押圧して挟持するという作用を有する。また、関節は、棒状の挟持パーツからなる連結体を、可撓性を付与するという作用を有する。
【００１３】
第３の発明である汎用クリップは、上述の第１又は第２の発明において、関節は、第２の弾性部材を備えていることを特徴とするものである。
上記構成の第３の発明は、上述の第１又は第２の発明における内挟持部材の構造をより具体的に特定したものであり、その作用は、第１又は第２の発明による作用と同じである。
また、第３の発明において第２の弾性部材は、内挟持部材に連結される部材を傾動可能にするとともに、傾動後に元の位置に復元させるという作用を有する。さらに、第２の弾性部材は、内挟持部材をその軸方向に伸長させるとともに、内挟持部材の伸長後に元の長さに復元させるという作用を有する。
【００１４】
第４の発明である汎用クリップは、上述の第３の発明において、第２の弾性部材はコイルばねであることを特徴とするものである。
上記構成の第４の発明は、上述の第３の発明の第２の弾性部材を具体的に特定したものであり、その作用は、第３の発明による作用と同じである。
【００１５】
第５の発明である汎用クリップは、上述の第１乃至第４のそれぞれの発明において、内挟持部材の表面は、伸縮性を有する絶縁シートで被覆されていることを特徴とするものである。
上記構成の第５の発明は、上述の第１乃至第４のそれぞれの発明による作用と同じ作用に加えて、内挟持部材の表面が伸縮性を有する絶縁シート被覆されていることで、一対の内挟持部材と被挟持物との接触部分を絶縁するという作用を有する。
【発明の効果】
【００１６】
上述のような第１乃至第４のそれぞれの発明によれば、一対の挟持部材の間に被挟持物を介設した場合に、内挟持部材を被挟持物の外形に沿って変形させるとともに、その際の内挟持部材自体の復元力により被挟持物を挟持するという作用を有する。
上述のような第１乃至第４のそれぞれの発明において、内挟持部材が被挟持物の外形に沿って変形することは、内挟持部材により任意の外形形状を有する被挟持物を挟持することができることを意味している。
したがって、第１乃至第４のそれぞれの発明によれば、例えばシート状の物体から線状の物体に至るまでの様々な外形形状や厚みを有する被挟持物を挟持することができる。つまり、第１の発明によれば、汎用性の高いクリップを提供することができる。
【００１７】
そして、特に第３の発明によれば、第１又は第２の発明による効果と同じ効果に加えて、関節の傾動及びその復元、および、関節の伸長及びその復元を実現する部材を１種類のみにすることができる。
この場合、第３の発明の構造をシンプルにすることができる。
【００１８】
また、特に第４の発明によれば、第３の発明による効果と同じ効果に加えて、関節の傾動及びその復元、および、関節の伸長及びその復元を実現する部材をコイルばねに特定することで、第４の発明の製造コストを廉価にすることができる。
【００１９】
第５の発明によれば、第１乃至第４のそれぞれの発明と同じ効果に加えて、第５の発明における内挟持部材と、一対の内挟持部材の間に介設される被挟持物とを絶縁することができる。よって、電力供給設備等の保守点検等の作業に適した汎用クリップを提供することができる。
【図面の簡単な説明】
【００２０】
【図１】本実施の形態に係る汎用クリップの概念図である。
【図２】本実施の形態に係る汎用クリップの内挟持部材の構成部材の連関を示す概念図である。
【図３】本実施の形態に係る汎用クリップの内挟持部材の構造を説明する部分拡大図である。
【図４】本実施の形態に係る汎用クリップの内挟持部材を湾曲させた状態を示す部分拡大図である。
【図５】本実施の形態に係る汎用クリップの開放状態を示す概念図である。
【図６】本実施の形態に係る汎用クリップの挟持状態を示す概念図である。
【発明を実施するための形態】
【００２１】
本発明の実施の形態に係る汎用クリップについて図１乃至図６を参照しながら詳細に説明する。
【００２２】
はじめに、図１を参照しながら本実施の形態に係る汎用クリップ１の概要について説明する。図１は本実施の形態に係る汎用クリップの概念図である。
図１に示すように本実施の形態に係る汎用クリップ１は、枢軸２と、この枢軸２に軸支されてその胴部が外側に向かって湾曲してなる一対の外挟持部材３，３と、一対の外挟持部材３，３のそれぞれの枢軸２側に延設される把持部５，５と、枢軸２又はその近傍において一対の把持部５，５の間に介設されて双方を押し広げるように付勢する弾性部材４と、一対の外挟持部材３，３のそれぞれの長手方向端部同士をつなぐように固設される一対の内挟持部材６，６と、を有し、この内挟持部材６，６は、多関節体であり、それぞれの関節１５は、左右方向（内挟持部材６，６の側面方向）に復元可能に傾動するとともに、その長さ方向に復元可能に伸長することを特徴とするものである。
【００２３】
なお、図１では枢軸２に弾性部材４を備える場合を例に挙げているが、弾性部材４は必ずしも枢軸２に設けられている必要はなく、少なくとも、把持部５，５を互いに離間させるように付勢するものであればよい。このため、例えば、把持部５，５の間に弾性部材４が介設された構造であってもよい。本明細書では、弾性部材４が枢軸２にではなく把持部５，５の間に配設されている状態を、「枢軸２の近傍に弾性部材４が配設されている」と表現している。
また、本実施の形態に係る汎用クリップ１では、弾性部材４としてコイルばねを用いる場合を例に挙げて説明しているが、把持部５，５の間を常時押し広げるよう作用し、かつ、外力により弾性変形させることができるものであれば、どのようなものを使用してもよい。
なお、本実施の形態に係る汎用クリップ１では、外挟持部材３、弾性部材４、把持部５の構造については、従来公知のクリップの構造を転用することができる。
【００２４】
ここで図２乃至図４を参照しながら、本実施の形態に係る汎用クリップ１の内挟持部材６の構造の一例について詳細に説明する。
図２は本実施の形態に係る汎用クリップの内挟持部材の構成部材の連関を示す概念図である。また、図３は本実施の形態に係る汎用クリップの内挟持部材の構造を説明する部分拡大図である。さらに、図４は本実施の形態に係る汎用クリップの内挟持部材を湾曲させた状態を示す部分拡大図である。なお、図１に記載されたものと同一部分については同一符号を付し、その構成についての説明は省略する。
図２に示すように、内挟持部材６は、例えば、本体部８の上端側にソケット部１０を備え、かつ、下端側に一部がテーパー状に縮径してなる突部９を備えてなる挟持パーツ７を複数個直列に連結したものである。より具体的には、本実施の形態に係る内挟持部材６は、鉛直下方側に配される挟持パーツ７に形成されるソケット部１０に、鉛直上方側に配される挟持パーツ７の突部９を挿入し、これらの重なり部を固定軸１２により軸支している。
【００２５】
また、突部９は、例えば本体部８の下端に形成されるテーパー部９ａと、このテーパー部９ａに延設される棒状部９ｂとにより構成されている。
さらに、このような突部９の下端近傍には、固定軸１２を挿通させるための軸挿通孔１１ａが穿設されている。さらに、挟持パーツ７のソケット部１０にも固定軸１２を挿通させるための軸挿通孔１１ｂが穿設されており、ソケット部１０に突部９を挿入した後、軸挿通孔１１ａと軸挿通孔１１ｂからなる連穿孔に固定軸１２を挿設することで、挟持パーツ７同士をその軸方向に直列につなげることができる。
つまり、一方の挟持パーツ７に他方の挟持パーツ７が軸支され、挟持パーツ７の連結体である内挟持部材６が形成される。そして、挟持パーツ７同士の連結部分が関節１５（図３を参照）となる。
【００２６】
また、本実施の形態に係る汎用クリップ１では、図３に示すように、突部９がテーパー部９ａを備えていることで、挟持パーツ７を直列に連結した際に、個々の挟持パーツ７を、関節１５において固定軸１２を基軸に左右方向（図３中の符号Ａ，Ｂで示す方向）に傾動させることが可能になる。
さらに、ソケット部１０に穿設される軸挿通孔１１ｂを、挟持パーツ７の連結方向にその長手方向が配される長孔とすることで、固定軸１２を本体部８の中心軸方向（図３中の符号Ｃで示す方向）にスライドさせることが可能になる。
そして、本実施の形態に係る汎用クリップ１の内挟持部材６では、挟持パーツ７同士からなる関節１５のソケット部１０内でかつテーパー部９ａと固定軸１２の間にコイルばね１３を介設しておくことで、固定軸１２により軸支される挟持パーツ７の突部９を、左右方向（図３中の符号Ａ，Ｂで示す方向）に傾動させた際に、このコイルばね１３の弾性反発力により挟持パーツ７を自動的に元の位置に復元させることができる。
【００２７】
つまり、本実施の形態に係る内挟持部材６によれば、内挟持部材６を関節１５において屈曲可能に構成しつつ、屈曲後はコイルばね１３の復元力により自動的に復元させることができる。
さらに、内挟持部材６の関節１５にコイルばね１３を備えている場合、個々の挟持パーツ７が図３中の上方側にスライドした際に、つまり、関節１５が挟持パーツ７の連結方向に伸びた際に、コイルばね１３の復元力により、個々の挟持パーツ７を元の位置に戻すように作用させることもできる。
つまり、本実施の形態に係る内挟持部材６では、内挟持部材６に対して関節１５を引き延ばすような外力が作用した際に、コイルばね１３自体の復元力により関節１５の伸びを復元させることができる。
このように、図３に示すような内挟持部材６によれば、上述のような関節１５を備えることで、内挟持部材６に屈曲性と伸縮性、並びに、これらの復元性を同時に付与することができる。
このような本実施の形態に係る内挟持部材６は、図４に示すように、内挟持部材６をその伸長方向に引き伸ばしながらしなやかに撓ませることができる。あるいは、特に図示しないが、内挟持部材６を、関節１５を伸長させながらジグザグ状に屈曲させることもできる。しかも、内挟持部材６を変形させるような外力から内挟持部材６が開放されると、コイルばね１３の弾性反発力により、内挟持部材６を元の直線状に復元させることができる。
つまり、本実施の形態に係る汎用クリップ１によれば、内挟持部材６の関節を復元可能に傾動及び伸長させることができる。
【００２８】
なお、図１乃至図４に示す汎用クリップ１の内挟持部材６は、直列に配設される複数の挟持パーツ７と、この挟持パーツの間に介設される関節１５とにより構成され、この関節１５は復元性を有する弾性体から成り、かつ、挟持パーツ７の伸長方向に伸縮性を有するものであると表現することもできる（他の形態１）。
このような他の形態１に係る汎用クリップ１の内挟持部材６も、図１乃至図４に示す汎用クリップ１の内挟持部材６と同様の作用、効果を奏する。
【００２９】
最後に図５，６を参照しながら本実施の形態に係る汎用クリップ１の使用方法について説明する。図５は本実施の形態に係る汎用クリップの開放状態を示す概念図である。また、図６は本実施の形態に係る汎用クリップによる挟持状態を示す概念図である。なお、図１乃至図３に記載されたものと同一部分については同一符号を付し、その構成についての説明は省略する。
ここでは、断面形状が矩形状である被挟持部材１４を本実施の形態に係る汎用クリップ１で挟持する場合を例に挙げて説明する。
断面形状が矩形状の被挟持部材１４を本実施の形態に係る汎用クリップ１で挟持するには、まず、図１に示す汎用クリップ１の把持部５，５を互いに近づけるように（図１中の符号Ｐで示す方向に）押圧する。この動作に連動して把持部５，５に延設される外挟持部材３，３及び内挟持部材６，６の空隙が広がって、内挟持部材６，６の間に被挟持部材１４の収容が可能になる（図５を参照）。
【００３０】
この後、図５に示す状態から、把持部５，５を押圧力Ｐから開放して、弾性部材４の弾性反発力により外挟持部材３，３の先端３ａ，３ａを閉じた状態にすることで、一対の内挟持部材６により被挟持部材１４を挟持することができる。
この時、図６に示すように、内挟持部材６が被挟持部材１４の形状に沿って伸長しながら変形することで、被挟持部材１４の局所に大きな挟持力を作用させることなく被挟持部材１４をしっかりと挟持することができる。
なお、図５，６では、矩形状の被挟持部材１４を内挟持部材６，６で挟持する場合を例に挙げているが、被挟持部材１４の断面形状が矩形以外の形状であっても、より具体的には、被挟持部材１４が円柱体（例えば、電線等）やシート体であっても被挟持部材１４の局所に大きな挟持力を作用させることなく被挟持部材１４をしっかりと挟持することができる。
なお、被挟持部材１４から本実施の形態に係る汎用クリップ１を取り外すには、上述の手順の逆を行えばよい。
【００３１】
また、本実施の形態に係る汎用クリップ１では、テーパー部９ａの傾斜面と突出部９ｂの外側面の成す角度θ（図３を参照）を適宜変更することで、挟持パーツ７の傾動範囲を所望に調整することができる。
すなわち、角度θが小さくなるにつれ内挟持部材６の変形性が向上する一方、角度θが大きくなるにつれ内挟持部材６の変形性は低下する。そして、前者の場合、本実施の形態に係る汎用クリップ１は、より厚みの大きい被挟持部材１４の挟持に適した形態になる。また、後者の場合は、本実施の形態に係る汎用クリップ１は、例えばシート体のような厚みの薄い物体の挟持に適した形態になる。
なお、本実施の形態に係る汎用クリップ１では、突出部９ｂの厚み（図３中における突出部９ｂの左右方向の幅）を小さく設定する方が、挟持パーツ７の傾動範囲を大きくできる反面、突出部９ｂの厚みが小さいと関節１５の強度の低下が起こりやすくなる。
【００３２】
さらに、本実施の形態では関節１５を起点に傾動した挟持パーツ７、または、関節１５の伸長によりスライドした挟持パーツ７、を元の位置に復元させるために、コイルばね１３と、挟持パーツ７の枢設構造並びに挟持パーツ７のスライド構造を組み合わせて用いる場合を例に挙げて説明しているが、本実施の形態に係る内挟持部材６の形態をこの形態に特定する必要は特にない。
本実施の形態に係る汎用クリップ１では、図１乃至図６に示す内挟持部材６に代えて、例えば、長手方向両端部のそれぞれがテーパー状に縮径してなる短い棒状のパーツを複数個、例えば、ゴムやシリコン等の弾性材を介して直列に一体に連結してなるもの（変形例１）を用いてもよい。
上述のような変形例１に係る内挟持部材を用いる場合は、内挟持部材を構成する部品点数をより少なくできるので図１乃至図６に示す汎用クリップ１と同等の機能を有するものをより廉価に提供できるというメリットがある。
【００３３】
さらに、特に図示しないが、本実施の形態に係る汎用クリップ１における内挟持部材６を、伸縮性を有するシート体（膜）で被覆しておいてもよい。
この場合、被挟持部材１４の一部が内挟持部材６の関節１５の隙間に入り込むなどの不具合が生じるのを防止できる。なお、このシート体（膜）は、図１乃至図６に示す汎用クリップ１の必須の構成ではなく、選択的必須構成要素である。
さらに、内挟持部材６を被覆するシート体（膜）が絶縁材である場合は、金属製のコイルばね１３を用いる場合に、内挟持部材６に絶縁性を付与することができる。この場合、本実施の形態に係る汎用クリップ１を、配電設備の保守点検作業等への使用により適したものにすることができる。加えて、このシート体（膜）は、金属製のコイルばね１３の劣化を防止するための保護膜として機能させることができる。
加えて、このシート体（膜）がゴムやシリコン等の滑りにくい材質からなる場合は、内挟持部材６の表面を滑りにくくすることもできる。この場合、本実施の形態に係る汎用クリップ１で被挟持部材１４を挟持する際の被挟持部材１４の保持性を高めることができる。このように、内挟持部材６の表面を、ゴム又はシリコン製のシート体（膜）で被覆する場合は、クリップとしての挟持性が良好で、配電設備の保守点検作業等での使用により適した汎用クリップ１を提供することができる。
【００３４】
また、図１乃至図６に示す汎用クリップ１では、内挟持部材６だけでなく外挟持部材３の先端３ａでも被挟持部材１４を挟持できる構造になっているが、外挟持部材３の先端３ａを被覆するように内挟持部材６を設けてもよい。つまり、外挟持部材３の先端３ａを、内挟持部材６の枢軸２側に配されない端部の側面に一体に固定した形態としてもよい。この場合、内挟持部材６の長さを長くできるので、同じサイズの汎用クリップ１とした場合に、内挟持部材６でより大きな被挟持部材１４を挟持することができる。
この場合、内挟持部材６は、上述の変形例１（図示せず）の内挟持部材に置き換えた場合でも、同様の効果を発揮させることができる。
【産業上の利用可能性】
【００３５】
以上説明したように本発明は、単一構造で電線からシート類までの幅広い外形及び厚みを有する物体を挟むことができる汎用クリップであり、電力供給設備の保守点検用の道具や日用品に関する技術分野において利用可能である。
【符号の説明】
【００３６】
１…汎用クリップ  ２…枢軸  ３…外挟持部材  ３ａ…先端  ３ｂ…基部  ４…弾性部材  ５…把持部  ６…内挟持部材  ７…挟持パーツ  ８…本体部  ９…突部  ９ａ…テーパー部  ９ｂ…突出部  １０…ソケット部  １１ａ…軸挿通孔  １１ｂ…軸挿通孔  １２…固定軸  １３…コイルばね  １４…被挟持部材  １５…関節
【図１】
2018084273.tif 000003
【図２】
2018084273.tif 000004
【図３】
2018084273.tif 000005
【図４】
2018084273.tif 000006
【図５】
2018084273.tif 000007
【図６】
2018084273.tif 000008